(57)【要約】  流体投与装置であって、本体（１）と、投与開口（３）を有し駆動時には本体（１）に対して軸方向に移動可能な投与ヘッド（２）とを有し、前記本体（１）は流体を格納する貯留部（１０）を収容し、当該貯留部（１０）は中空管（１１）を有し、当該中空管（１１）の近接側軸方向開口（１２）はストッパー（２０）によって閉じられ、当該ストッパー（２０）は駆動時に密閉状態を保ちつつ中空管（１１）内をスライドし、前記投与ヘッド（２）は円筒形の中空カニューレ（４）を有し、当該カニューレ（４）はその一端において投与開口（３）に接続するとともに他端にストッパー（２０）を貫通するための貫通端（５）を有し、貫通端（５）は開口（６）を有し、前記ストッパー（２０）は駆動時にカニューレ（４）によって貫通される径方向壁部（２２）を有し、前記カニューレ（４）の開口（６）は、当該開口（６）を取り囲み且つ遠位側端部と近接側端部を有する周縁部（７）を規定し、当該端部間の軸方向における距離は開口（６）の軸方向範囲を規定し、前記貯留部（１０）は、連続する二度の当該装置の駆動により投与される二回分の量の流体を格納し、前記貫通端（５）の開口（６）の軸方向範囲は、ストッパー（２０）の径方向壁部（２２）の軸方向厚さより小さい、流体投与装置。【選択図】  図１
2017527431.tif 000002
【特許請求の範囲】
【請求項１】
流体投与装置であって、
本体（１）と、投与開口（３）を有し駆動時には本体（１）に対して軸方向に移動可能な投与ヘッド（２）とを有し、
前記本体（１）は流体を格納する貯留部（１０）を収容し、当該貯留部（１０）は中空管（１１）を有し、当該中空管（１１）の近接側軸方向開口（１２）はストッパー（２０）によって閉じられ、当該ストッパー（２０）は駆動時に密閉状態を保ちつつ中空管（１１）内をスライドし、
前記投与ヘッド（２）は円筒形の中空カニューレ（４）を有し、当該カニューレ（４）はその一端において投与開口（３）に接続するとともに他端にストッパー（２０）を貫通するための貫通端（５）を有し、貫通端（５）は開口（６）を有し、
前記ストッパー（２０）は駆動時にカニューレ（４）によって貫通される径方向壁部（２２）を有し、
前記カニューレ（４）の開口（６）は、当該開口（６）を取り囲み且つ遠位側端部と近接側端部を有する周縁部（７）を規定し、当該端部間の軸方向における距離は開口（６）の軸方向範囲（ｄ）を規定し、
前記貯留部（１０）は、連続する二度の当該装置の駆動により投与される二回分の量の流体を格納し、
前記貫通端（５）の開口（６）の軸方向範囲（ｄ）は、ストッパー（２０）の径方向壁部（２２）の軸方向厚さより小さい
ことを特徴とする流体投与装置。
【請求項２】
開口（６）は、カニューレ（４）の遠位側端部に形成された斜面によって形成される
請求項１に記載の流体投与装置。
【請求項３】
カニューレ（４）の外径は０．９９ｍｍであり、開口（６）を規定する斜面の、カニューレ（４）の円筒形壁部に対する角度は１０°から８０°の範囲内にあり、好ましくは３４°である
請求項２に記載の流体投与装置。
【請求項４】
ストッパー（２０）の径方向壁部（２２）の軸方向厚さは１．６ｍｍであり、開口（６）の軸方向範囲（ｄ）は１．６ｍｍより小さく、具体的には１．０５ｍｍ程度である
請求項１から３までのいずれか１項に記載の流体投与装置。
【請求項５】
貯留部（１０）は中空盲管（１１）により形成される
請求項１から４までのいずれか１項に記載の流体投与装置。
【発明の詳細な説明】
【技術分野】
【０００１】
本発明は流体投与装置に関連する。特に、連続する二度の駆動により流体を二回分の量投与する二回量投与型装置に関連する。
【背景技術】
【０００２】
一回量投与型装置および二回量投与型装置は従来良く知られている。図１に示すように、そのような装置は通常、一回分もしくは二回分の量の流体を格納する貯留部１０を収容する本体１と、投与開口３を有し駆動時に本体１に対して軸方向に移動可能な投与ヘッド２とを有する。貯留部１０は通常、内部中空の盲管１１（以下、中空盲管１１と称す。）により形成される。中空盲管１１の（投与開口３に対して）近接側の軸方向開口はストッパー２０によって密閉状態で閉じられている。また、投与ヘッド２は通常、概ね円筒形のカニューレまたは針４（以下、単にカニューレ４と称す。）を有する。当該カニューレ４は、一端において投与開口３に接続し、他端には駆動時にストッパー２０を貫通する貫通端５を有する。貫通端５の貫通を受けると、ストッパー２０は貯留部１０内を移動し、一回分もしくは二回分の量の流体をカニューレ４を通して投与開口３側に向けて排出させる。この種の装置を開示する文献として、特許文献１が挙げられる。
【先行技術文献】
【特許文献】
【０００３】
【特許文献１】欧州特許公報第０５４６６０７号
【発明の概要】
【０００４】
従来の装置の一つの課題は、駆動時に漏れが発生するリスクに関連している。駆動時の漏れは投与量に変化をきたし、同種の様々な装置間での調量再現性の低下につながる。
図２に示すように、カニューレ４の貫通端５における開口６は、カニューレ４の（投与開口３に対して）遠位側の軸方向端部における斜面によって形成され、したがって開口６を囲む平面の周縁部７が形成される。この斜面の角度を急峻にすることで、ストッパー２０の貫通がより容易となっている。例えば、この急峻な角度によって、開口６の軸方向範囲、すなわち周縁部７の遠位側軸方向端部と近接側軸方向端部の間の軸方向距離が、駆動の初めにカニューレ４による貫通を受けるストッパー２０の壁部２２の厚みより大きくなっていても良い。そのため、ストッパー２０の貫通時に、流体がカニューレ４を通過することなく貯留部１０から流れ出す可能性があり、これは流体漏れのリスクにつながる。なお、この流体漏れのリスクは、特に投与対象の流体を比較的多量収容する二回量投与型装置において顕著である。
【０００５】
本発明の一つの目的は、上述の課題を有さない流体投与装置、特に一回量投与型もしくは二回量投与型のもの、を提供することである。
本発明の別の目的は、流体投与装置、特に二回量投与型のものであって、駆動時の漏出のリスクを抑制もしくはなくすことによって、同種の様々な装置間における調量精度および調量再現性を向上するものを提供することである。
【０００６】
また、本発明の別の目的は、流体投与装置、特に二回量投与型のものであって、その製造・組み立てが単純かつ低コストなものを提供することである。
【課題を解決するための手段】
【０００７】
以上を鑑み、本発明は、流体投与装置であって、本体と、投与開口を有し駆動時には本体に対して軸方向に移動可能な投与ヘッドとを有し、前記本体は流体を格納する貯留部を収容し、当該貯留部は中空管を有し、当該中空管の近接側軸方向開口はストッパーによって閉じられ、当該ストッパーは駆動時に密閉状態を保ちつつ中空管内をスライドし、前記投与ヘッドは円筒状の中空カニューレを有し、当該カニューレはその一端において投与開口に接続するとともに他端にストッパーを貫通するための貫通端を有し、貫通端は開口を有し、前記ストッパーは駆動時にカニューレによって貫通される径方向壁部を有し、前記カニューレの開口は、当該開口を取り囲み且つ遠位側端部と近接側端部を有する周縁部を規定し、当該端部間の軸方向における距離は開口の軸方向範囲を規定し、前記貯留部は、連続する二度の当該装置の駆動により投与される二回分の量の流体を格納し、前記貫通端の開口の軸方向範囲は、ストッパーの径方向壁部の軸方向厚さより小さい流体投与装置を提供する。
【０００８】
開口は、カニューレの遠位側端部に形成された斜面によって形成されるのが好ましい。
カニューレの外径は０．９９ｍｍであり、開口を規定する斜面の、カニューレの円筒形壁部に対する角度は１０°から８０°の範囲内にあり、好ましくは３４°であるのが好ましい。
ストッパーの径方向壁部の軸方向厚さは１．６ｍｍであり、開口の軸方向範囲は１．６ｍｍより小さく、具体的には１．０５ｍｍ程度であるのが好ましい。
【０００９】
貯留部は中空盲管により形成されるのが好ましい。
【図面の簡単な説明】
【００１０】
以下に示す詳細な説明及び添付図面は、非限定的な例に基づき、本発明の特徴や利点を明確にするものである。
【図１】本発明が適用可能な二回量投与型の投与装置の模式図である。
【図２】従来技術における一般的な装置の詳細を示す断面図である。
【図３】図２に類似し、本発明の好ましい実施の形態を示す。
【図４】図３のカニューレの貫通端の開口の詳細を示す斜視図である。
【図５】貫通端の詳細を示す断面図である。
【００１１】
なお、本発明はより具体的には、特許文献１に開示されている種類の装置に関連する。
しかしながら、本発明はそのような種の装置に限定されるものではなく、駆動前もしくは駆動の最初に貫通される必要があるストッパーにより閉じられた貯留部を有する二回量投与型、および複数回量投与型のあらゆる種類の流体投与装置に適用可能である。
なお、本明細書における「軸方向」や「径方向」といった表現は、円筒形のカニューレ４の長手方向に対する相対的な方向を示す。また、「近接側」および「遠位側」といった表現は、投与ヘッド２に形成された投与開口３に対する相対的な位置を示す。
【発明を実施するための形態】
【００１２】
本発明はより具体的には、図１に示すような二回量投与型の装置に適用されるものである。上述のように、そのような装置は、二回分の量の流体を格納する貯留部１０を収容する本体１と、投与開口３を有し駆動時に本体１に対して軸方向に移動可能な投与ヘッド２とを有する。
貯留部１０は二回分の量の流体を格納する。好ましくは、貯留部１０は、例えばガラスからなる、中空盲管１１により形成される。中空盲管１１の軸方向開口１２はストッパー２０によって閉じられている。ストッパー２０は例えばエラストマーからなり、駆動時には密閉状態を保ちつつ中空盲管１１内をスライドする。また、ストッパー２０は密閉状態を保ちつつ中空盲管１１内をスライドする管状軸部分２１と、駆動時にカニューレ４により貫通される径方向もしくは横方向の壁部分２２を有する。
【００１３】
また、投与ヘッド２は、概ね円筒形のカニューレまたは針４（以下、単にカニューレ４と称す。）を有する。カニューレ４は、その一端において投与開口３に接続し、その他端に駆動時においてストッパー２０を貫通する貫通端５を有する。なお、貫通端５により貫通されると、ストッパー２０は貯留部１０内を移動し、二回分の量の流体をカニューレ４を通して投与開口３側に向けて排出させる。カニューレ４はカニューレ支持部９に挿入されていても良く、カニューレ支持部９は投与ヘッド２に固定されていても良い。好ましくは、スプレープロファイル（ｐｒｏｆｉｌｅ）３５が投与開口３に上流方向に隣接して、すなわち投与ヘッド２の端壁とカニューレ支持部９の近接側軸方向端部との間に形成されている。
【００１４】
なお、駆動を実行するため、本体１に接続された駆動部材１５があっても良い。図１に示す実施の形態では、駆動部材１５はスプリング１６によって休止位置に向けて付勢されており、スプリング１６の付勢力に抗して駆動部材１５を手動で動かすことにより本体１と貯留部１０の両方を投与ヘッド２に対して相対的に移動可能である。
なお、図１に示す実施の形態は二回量投与型装置であるため、駆動部材１５は投与量分割手段を有する。そしてこの実施の形態においては、投与量分割手段は、本体１上に形成された径方向肩部１８、１９のそれぞれと協働する一以上の可撓性タブ１７（以下、単に可撓性タブ１７と称す。）として実施されている。したがって、可撓性タブ１７は初回分の量の投与のため肩部１８と協働すると、その後、スプリング１６の作用によって駆動部材１５が休止位置に戻り、当該休止位置において、可撓性タブ１７はもう一方の肩部１９と協働する。なお、投与量分割手段は必ずしもこのように実施される必要はない。
【００１５】
上述のように、カニューレ４の開口６は、図４に示すように、当該開口６を取り囲む周縁部７を規定する。当該周縁部７は遠位側端部と近接側端部を有し、当該端部間の軸方向における距離が、図５に示すように、開口６の軸方向範囲ｄを規定する。
本発明において、貫通端５の開口６の当該軸方向範囲ｄは、ストッパー２０の径方向壁部２２の軸方向厚さより小さい。
【００１６】
この構成は、径方向壁部２２の厚さを、図２に示す標準的なストッパーにおけるそれよりも大きくすることで実現される。この場合、カニューレ４については特に変更する必要はない。
例えば、カニューレ４の外径は０．９９ｍｍであり、開口６を規定する斜面の、カニューレ４の円筒形壁部に対する角度は１０°から８０°の範囲内にあり、好ましくは３４°である。
【００１７】
ストッパー２０の径方向壁部２２の軸方向厚さは１．６ｍｍであり、開口６の軸方向範囲ｄは１．６ｍｍより小さいのが好ましく、具体的には１．０５ｍｍ程度であるのが好ましい。これに対し、図２に示す標準的なストッパーの径方向壁部の厚さは１ｍｍである。同じカニューレを用いる場合、本発明の構成により径方向壁部２２の径方向厚さを６０％程度大きくすることができる。なお、この厚さの増加は、駆動時に径方向壁部２２を貫通するために必要な力という点においても、許容可能である。
【００１８】
本発明では、ストッパー２０の径方向壁部２２の貫通時における開口６における流体漏れは起こりえない。
以上、本発明を好ましい実施の形態を参照しながら説明したが、当然のことながら本発明は実施の形態に限られない。添付の請求項によって規定された本発明の範囲を超えない限り、当業者は様々な変形を適用することが可能である。
【図１】
2017527431.tif 000003
【図２】
2017527431.tif 000004
【図３】
2017527431.tif 000005
【図４】
2017527431.tif 000006
【図５】
2017527431.tif 000007
【手続補正書】
【提出日】平成28年5月3日(2016.5.3)
【手続補正１】
【補正対象書類名】特許請求の範囲
【補正対象項目名】全文
【補正方法】変更
【補正の内容】
【特許請求の範囲】
【請求項１】
流体投与装置であって、
本体（１）と、投与開口（３）を有し駆動時には本体（１）に対して軸方向に移動可能な投与ヘッド（２）とを有し、
前記本体（１）は流体を格納する貯留部（１０）を収容し、当該貯留部（１０）は中空管（１１）を有し、当該中空管（１１）の近接側軸方向開口（１２）はストッパー（２０）によって閉じられ、当該ストッパー（２０）は駆動時に密閉状態を保ちつつ中空管（１１）内をスライドし、
前記投与ヘッド（２）は円筒形の中空カニューレ（４）を有し、当該カニューレ（４）はその一端において投与開口（３）に接続するとともに他端にストッパー（２０）を貫通するための貫通端（５）を有し、貫通端（５）は開口（６）を有し、
前記ストッパー（２０）は駆動時にカニューレ（４）によって貫通される径方向壁部（２２）を有し、
前記カニューレ（４）の開口（６）は、当該開口（６）を取り囲み且つ遠位側端部と近接側端部を有する周縁部（７）を規定し、当該端部間の軸方向における距離は開口（６）の軸方向範囲（ｄ）を規定し、
前記貯留部（１０）は、連続する二度の当該装置の駆動により投与される二回分の量の流体を格納し、
前記貫通端（５）の開口（６）の軸方向範囲（ｄ）は、ストッパー（２０）の径方向壁部（２２）の軸方向厚さより小さく、
ストッパー（２０）の径方向壁部（２２）の軸方向厚さは１．６ｍｍであり、開口（６）の軸方向範囲（ｄ）は１．６ｍｍより小さく、具体的には１．０５ｍｍ程度である
ことを特徴とする流体投与装置。
【請求項２】
開口（６）は、カニューレ（４）の遠位側端部に形成された斜面によって形成される
請求項１に記載の流体投与装置。
【請求項３】
カニューレ（４）の外径は０．９９ｍｍであり、開口（６）を規定する斜面の、カニューレ（４）の円筒形壁部に対する角度は１０°から８０°の範囲内にあり、好ましくは３４°である
請求項２に記載の流体投与装置。
【請求項４】
貯留部（１０）は中空盲管（１１）により形成される
請求項１から３までのいずれか１項に記載の流体投与装置。
【国際調査報告】
2017527431.tif 000008
2017527431.tif 000009
2017527431.tif 000010
2017527431.tif 000011